(57)【要約】【課題】本発明は、製造工程が煩雑なギターを一般的な素材、製法以外を用い簡便に製作し、且つその方法を活かした形態のギターとする。【解決手段】本発明は、上駒からのネックの長さを弦長の半分程に設定し、その後端からボディ中程までを徐々に広がる半楕円の半円錐形状としネックとボディを一体成形、それをプラスチックの射出成型にて製造、調弦部は、本体後方に設置し張弦方向から直角方向に屈曲させることで全体を小型化し、それにアンプスピーカーを搭載することで、より携帯性、玩具性の高いアンプ内蔵ギターとする。【選択図】図１
2004347898.tif 000002
【特許請求の範囲】
【請求項１】
金型による射出成形のプラスチックにて、ボディとネックを一体形成し、アンプスピーカ―を搭載した電気ギター。
【請求項２】
上駒からのネック長を上駒から下駒までの弦長の中間、あるいは中間から程近い部分に設定し、ネックの最後部背面からボディの背面中央付近まで徐々に広がる半楕円の半円錐形状を持たせたネックとボディの混成部分とし、且つその混成部分内とネック部分内に本体と同素材同工程でのプラスチックの一体成形にて張弦方向へ板状のリブを配したギター。
【請求項３】
本体底面に弦本数開けた孔を持つ仕切り板を配し、本体背面側から円筒状ツマミの付いたネジを仕切り板の各孔へ通し、下駒後方直後に設けた各弦止め具下部のネジ孔へ回転挿入し結合、各弦止め具に弦を係止し、円柱状ツマミをネジの結合方向へ回す事で弦止め具が本体表面側から背面側に稼動、弦が張弦方向から直角方向へ屈曲して引かれ張力が与えられる調律装置を持ったギター。
【発明の詳細な説明】
【０００１】
【発明の属する技術分野】
本発明は、ボディとネックをプラスチックの一体成形としたアンプスピーカ―内蔵のコンパクトな電気ギターに関するものである。
【０００２】
【従来の技術】
現存及び従来より、電気ギターを含めたギターの殆どがボディ、ネックの構造体を木材製としており、他素材のものも存在はしていたが、主に音質面を考慮してのもので、コスト的に優れたものは少なく、加えてそれらは、消費者及び製造者のギターは木製、という嗜好や固定観念、及び音質面により普及していないのが現状である。よって現在においても加工から塗装まで多くの工程を経る必要がある木材製の電気ギターが主流となっている。
【０００３】
【発明が解決しようとする課題】
ギター本体の大部分を占めるボディとネックを、加工から仕上げまでの工程が煩雑な木材以外の素材で形成、製造し、加えて、ギターは木製という、現在の消費者の通念に捕られない商品性を持たせた製品とすることで、安価で且つ高価値のギターを消費者に提供する。
【０００４】
【課題を解決するための手段】
本発明は、ギターの構造体を金型によるプラスチックの射出成形、着色は素材自体に顔料混入とすることで無塗装とし、木材製ギターの切削から接合、研磨、塗装までの煩雑な工程を省く。この工法自体は過去、一部分に採用した実施例が極少数あるが、一般的なギターには受け入れられ難いので、玩具的な要素の高いアンプスピーカー内蔵の電気ギターを、より発展させた製法で、更にその玩具的な方向性に意匠、小型化等を含め製品化することで上記課題を解決するものである。ギターの主要部分であるボディとネックはすべてプラスチック製とし、尚且つ双方を一体成形として製品の小型化、高強度等を図り、加えてそれは金型の小型化、部品点数の削減による低コスト化、少工程化に繋がり、また音質面においても、出力源が本体に搭載されるこの種のギターならば、構造体の差異による音質面の変化や劣化も少ないことも上記課題の解決となるものであり、それはプラスチック製キャビネットのギターアンプの音質に問題がないことと同様、本発明もプラスチック製のアンプにギターが搭載されているとも捉えられるからである。
【０００５】
【実施例】
【０００６】
本発明は射出成形によるプラスチック製ギターであるが、その素材は射出成形で使用される熱可塑性プラスチックのなかで一般的で且つ強度の高いポリプロピレンやＡＢＳ樹脂から、より高い強度を得られるエンジニアリングプラスチックまで使用可能であり、コストと商品性の兼ね合い等に応じ選択することが望ましく、また本発明は、着色を素材のプラスチック自体に顔料を混入することで無塗装とし、射出部品の表面は無加工のままとするので、金型には射出部品の表面が梨地仕上げ、あるいは平滑な表面加工になるような処理、加工が望ましい。尚、別実施例として、より鮮明な着色、またはメタリック色等の着色を求める場合、コスト増とはなるが、塗装にての着色ももちろん可能である。
【０００７】
本発明は、図１、図２にあるようにネック２とボディ３を一体成形とし本体１としたプラスチック製ギターであり、ネック２とボディ３の分岐面８は上駒５から下駒６までの距離からなる弦長４の弦長中間７である１２フレット、或いはより高音域の演奏を重視、または更なるボディ３の小型化を求めるならば分岐面８をそれ以降のフレット部分とし、分岐面８からのネック２断面をボディ３中程まで徐々に広げた半楕円の半円錐形状のネック２とボディ３の混成部分９とする。混成部分９を持たせることで、分岐面８以降の断面積を大きく取れることから、プラスチック素材に置いても張弦に対する強度を保つと同時に、弦長中間７が分岐面８の場合に置いても高音域での運指に支障ない形状となる。
【０００８】
図３にあるように本体１の内側のネック２から混成部分９にかけて、張弦方向に数本の板状リブ１０を配し、本体１の製造過程、射出成形時に同時形成する。これにより、混成部分９を設けたことと同様、張弦に対するネック２の反りを防止する。また、より高い強度を求める場合には、音質面にも寄与することから図４に示すようにアルミの押し出し成形のロの字型、もしくはコの字型のチャンネル材２０を、板状リブ１０の中央等に一部分、先端から後端までスペース２１を設けて挿入する。あるいは現在の通常のギターに使用されているアジャスタブルトラスロッドを同じく挿入することでも強度は保たれ、加えてその場合はネックの反り調整も可能となる。
【０００９】
本体１の表面には、本体１と同素材同一加工で製造した図３の指板１１とボディカバー１２が、接着、ネジ、はめ込み溝の加工等で固着されるが、整備性を考慮しなければ一体にて形成し全体点数を少なくすることも出来、また図３にあるように本体１指板１１、ボディカバー１２として全体を分割する以外にも、全体の側面の中程から全体を２分割にするなど、数通りの分割方法が考えられる。尚、図中に置ける部品と部品を固着する為のみのネジやネジ孔ネジ受け部分、はめ込み溝加工の作画等は省略して記載する。
【００１０】
図３の指板１１には、金属製のフレット１３を固着するが、通常の打ち込み式のフレット１３を使用する場合には、打ち込み用の溝加工１４を予め成型時に加工可能であり、また指板１１は、上駒５、加えてヘッドカバー１５も同一部品として成型することも可能である。尚、図３中にはフレット１３は拡大図を含め、２フレット分のみ記載したが、すべての溝加工１４に装着され、図３の実施例においては２１フレットが備わる。
【００１１】
図３の電装品１６は、アンプ基盤を中心に、スピーカー、マスターボリューム、ギターボリュームの両ポット、弦振動を拾うピックアップ、音色切り替えを兼ねた電源スイッチ、乾電池用の電極、電源の入切と乾電池の消耗を表示するＬＥＤ、外部アンプを利用して一般的な電気ギターとして使用する為のアウトプットジャックなどの部品が配線される。仕様によっては図３の実施例以外にもピックアップをダブルコイルのハムバッカー型のものを搭載してもよいし、同じく仕様によっては部品点数削減の為、電源スイッチでの音色切り替え、ＬＥＤ、アウトプットジャックの有無、ボリュームポット数などを軽減することも可能である。
【００１２】
電装品１６は、スピーカーカバー１７とともに本体１のボディ３内部へ搭載され、ボディカバー１２によって蓋をされる。その際各部品別にはめ込みやネジ止め等によって、本体１やボディカバー１２に固着される。ボリュームポットには固着後、ノブを装着する。電装品１６の各部品の搭載位置は、その有無、操作性や視認性、音色等により様々な形態の選択肢があるので、図３を代表例として記載する。またスピーカーカバー１７は、ボディカバー１２のスピーカーカバー１７搭載部分ヘ同素材にて一体成形加工し、部品点数を削減することも可能であるが、より細かい網目や孔の成形を望み且つ強度も求めるのならば、金属製の別部品にて作成するのが望ましい。
【００１３】
図３のバッテリーカバー１８は、乾電池１９を本体１の背面側内部へ収めた上から本体１にはめ込み係止、図２のような形態となる。また図３では角電池としたが、用途に応じ円柱型の乾電池を複数本搭載する形態でもよい。
【００１４】
図３のブリッジ２２はプレート２３と下駒６と駒ネジ２４とで形成され、プレート２３に弦間隔に施されたネジ孔へ下駒６の前端に成形した凹型の窪み部分を合わせ、駒ネジ２４を回転挿入することで固定するが、下駒６の凹部分を駒ネジ２４が挟み込める範囲内で前後に稼動が可能であり、オクターブ調整を行うことが出来る。またこのブリッジ２２は現在の様々な形状の市販品のなかから代用可能なものを使用してもよく、いずれの場合も本体１の表面下部にネジ或いははめ込み加工によって固着される。
【００１５】
図５のバー２５は、引き出し式、或いは差し込み式にて本体１から突出し、着座姿勢での演奏時の補助部品となる。バー２５を引き出し式にする場合はバー２５の支点となる両面に凹加工を設け、本体１とボディカバー１２へバー２５の凹加工に当たる部分に凸加工を設けて挟み込む方式等がある。尚、図１には引き出し式のバー２５の格納時の形態を示した。またバー２５を差し込み式とするときは、引出し式のようにバー２５を格納する窪みは設けず、引出し式の支点部分に相当する個所へ孔を設け、図中にあるように本体１のプラスチック素材の弾力性を用い、バー２５の先端と噛み合う形状を持たせて、着脱自在の形式にする方法等が考えられる。
【００１６】
図４は、図３で示した実施例の本体１のネック２先端と指板１１を別部品とした形態の分解図の先端部分であり、指板１１はヘッドカバー１５部分と上駒５も一体形成されたもので、上駒５上部のヘッドカバー１５部分には弦孔２６が設けられる。図４では弦孔２６は、点線で示した透視図となっており、正視図としては図１の通りである。
【００１７】
図６は、本体１後部底面にある、仕切り板２７、弦止め具２８、調律ツマミ２９からなる調律部３０の図解であり、図３中の実施例では仕切り板２７を別部品としたが、これも他の部品と同様、本体１に一体成形とすることも出来、図６中ではその実施例を示した。仕切り板２７を別部品とした場合、部品点数は増すが、より耐久性のある金属部品としたり、図２、図３中のように弦止め具２９を被う形状にも出来る。図６、図３どちらの実施例の調律部３０も仕切り板２７に弦数本、一般的には６弦であるので各弦間隔に等しく６個のツマミ孔３２を設け、その個所へ調律ツマミ２９のネジ側部分にワッシャー３１を挟んで通した後、弦止め具２８下部の中心に切られたネジ山３３へ捻じ込み装着する。また図中には省いたが、仕切り板２７と弦止め具２８の間の調律ツマミ２９のネジ部分へコイルスプリングを介せば、常に弦止め具２８を調律ツマミ２９の締め付けられている範囲の最上部に保てるので、弦４６を張る際や、部品のがたつきを抑える為に有効である。ワッシャー３１ともども省略可だが、仕様に応じ配することが望ましい。
【００１８】
図６は調律部３０の弦止め具２８を拡大図解したもので、ふたつのどちらとも下部中央に点線で表しているものは、調律ツマミ２９のネジ部分が収まるネジ山３３を示したものである。弦止め具２８をはじめ調律部３０の部品は、音響的にも耐久性を考えても、アルミや真鍮、鋳鉄等の金属部品とすることが望ましい。
【００１９】
図４、図６、図７は、本発明のギターに弦４６を張る形式を示すもので、一般的なギター弦には片側にボールエンド４７が備わっており、ボールエンド４７の配置位置によって二通りの実施例が考えられるので、各図とも一点鎖線を設け、右側がボール・エンド４７をネック２側に配した方式、左側がボールエンド４７を弦止め具２８へ配置した実施例であり、以下にて記述する。
【００２０】
図４、図６、図７の一点鎖線右側、ボール・エンド４７をネック２側へ配した形式の場合、弦４６はまずネック２上面に加工されたボールエンド孔３４から、ボールエンド４７の付いていない側の弦４６の先端から通し、ヘッドカバー１５に開けられた弦孔２６を抜け指板１１側に出て、弦４６を最後まで通し切るとボールエンド４７はボールエンド孔３４に係止される。一点鎖線右隣りのボールエンド４７ががそれを表すものであるが、他の弦もこれと同様に係止される。次に弦４６先端を弦止め具２８上部に成型されたスリット３５を通し、弦止め具２８上部に成型されたイモネジ山３６へイモネジ３７を回転挿入することで弦止め具２８に弦４６が係止される。図６中では、一点鎖線右側に３個並ぶツマミ孔３２の中央のものでその形態を表したが、他の弦もこれと同様に張弦が行われる。次に弦止め具２８に固着された以降の弦４６を切断し、調律ツマミ２９を回す事により、弦止め具２８が本体１の表面側から背面側に移行することで、弦４６の撓みが引き取られ張られることで音程が可変出来、調律可能となる。その際弦止め具２８にイモネジ３７で固着された弦４６部分は、弦止め具２８に設けられたスリット３５に収まり、本体１と弦止め具２８の間に挟まることはない。
【００２１】
図４、図６、図７の一点鎖線左側、ボール・エンド４７を弦止め具２８へ配した形式の場合、弦止め具２８の上部に円形状の掘り込み加工を施したボールエンド溝３８を設け、その部分にボールピース４７を収め係止する。一点鎖線左側に３個並ぶツマミ孔３２の中央でその形態を表したが、他の弦も同様に行われる。次に弦４６先端を上駒５の上部に設けた弦孔２６へ通し、ネック２に配した排出孔３９を抜け、ネック２を貫通させる。ネック２先端内部には金型の成型により、ネック２内部を貫通した弦４６を押し付けるスペーサー４０、スペーサー４０を押圧するための六角ナット４１、六角ナット４１のネジ部分を受けるネジ板４２等が収まる様形成される。六角ナット４１を回転させ締め付けることで弦４６がスペーサー４０に押圧されネック２内部に挟まれる形で係止される。一点鎖線左隣りのものがその形態を表すが、他の弦も同様である。これにて弦４６の両端が係止され、調律は一点鎖線右側の実施例と同じく、調律ツマミ２９を回す事で行われる。
【００２２】
調律部３０は他の実施例として、全体長の多少の延長化は招くこととなるが、調律部３０を本体１に対して平行あるいはそれに近い角度に設定し、調律ツマミ２９を廻し易い位置に配置させる案も考えられ、図８の点線で示した調律部３０がその形態を示す一例であり、その際も図６に示したように２通りの張弦方法が可能である。また、これも全体を多少長大化させるが、一般的に受け入れ易い意匠として図９のように、請求項３の調律装置を用いず、通常の糸巻き４３を使用して普遍的な形状のギターヘッド部の形状にする実施例も考えられ、その際ブリッジ２２は一般的なものを使用する。尚、図９には、図１のものとは他にも異なった形態を記載し、ネック２とボディ３の分岐面８を弦長中間７から２フレット分高音域側に移した仕様となっており、加えて電装品１６のスイッチや弦振動を拾うピックアップ４４をダブルコイル型の違う形状のものとし、別の実施例を示した。
【００２３】
本発明は、アンプスピーカー内蔵の電気ギターであるが、本実施例の殆どの部品を流用して、アンプ内蔵型ではない、一般的な電気ギターや、あるいはアコースティックギターを製造することも可能である。どちらの場合も図３の実施例に置けるボディカバー１２のみを別部品とし、図１０は、スピーカーの代わりにシングルコイル型のピックアップ４４を複数個つけた電気ギターの形態、図１１はボディカバー１２にサウンドホール４５を設けたアコースティックギターの形態である。
【発明の効果】
【００２４】
以上説明のように、ボディとネックをプラスチックにて一体成形し、ボディとネックの混成部分を半楕円の半円錐状に形成することで、張弦に対する強度と高フレットでの演奏性を兼ね備える。加えてその一体成形は生産性の向上にも繋がり、また同工程にてネック内とネックとボディの混成部の内部にリブを設けるよう金型加工する為、更なる張弦に対する強度を持たせることが出来る。より以上の強度を求める場合は、リブ内にスペースを設けるよう形成し、その部分へ一般的なギターに挿入されているアジャスタブルトラスロッドを搭載すれば、ネックの反り調整も可能となる。またコスト増を避け、強度増を満たすのみならば、リブ内のスペースへアルミのロの断面、コの字断面のチャンネル材を搭載すれば事足り、またそれは副次的な効果として、音質面での向上に寄与する。張律部は、下駒直後に弦止め具を設け弦を係止し、それを本体底面の背面側に備えたツマミで張弦方向から直角方向へ屈曲させて引くことにより、本体の全長、大きさを縮小することが可能となる。具体的には下駒から３０ミリ以内には全長後端を収められる。それはボディとネックとの一体成形とも合間って、更に携帯性に優れたコンパクトな意匠とすることが出来、また射出成形の為の金型も極力小型化出切る為、その点に置いてもコストの削減となる。部品点数の多い通常の糸巻きが不必要なこともまた然りである。製品への着色は、素材自体に顔料を混入することで無着色とするので、この点でも工程を省くことが可能となる。以上のような成り立ちの材質、工法、意匠に置いて、アンプスピーカー内蔵のギターとすることは、携帯性を重視され、通常のギターよりもより道具性、玩具性の強い同品に多く兼ね合う事案を有するので、消費者に優れた製品をより低価格で提供することが可能となる。また本発明を形成する部品の殆どを流用して、一般的な電気ギター、アコースティックギターに変換可能であるので、あらゆる形式のギターを低価格で提供することにも繋がる。
【図面の簡単な説明】
【図１】本発明の斜め側面からの正面を示した図である。
【図２】本発明の斜め側面からの背面を示した図である。
【図３】本発明の一実施例の分解図である。
【図４】本発明のネック上端部と指板先端部を結合する前の分解並列図である。
【図５】本発明の本体から突出するバーの２案を示した図である。
【図６】本発明の本体底面にある調律部を示した図である。
【図７】本発明の調律部を構成する部品のひとつ、弦止め具の拡大図である。
【図８】本発明の調律部の別案を示す実施例の図である。
【図９】本発明の別案の実施例で、一般的な糸巻きを使用した形態を示す図である。
【図１０】本発明の殆どの構成部品を転用し、通常の電気ギターとした図である。
【図１１】本発明の殆どの構成部品を転用し、アコースティックギターとした図である。
【符号の説明】
１    本体
２    ネック
３    ボディ
４    弦長
５    上駒
６    下駒
７    弦長中間
８    分岐面
９    混成部分
１０  板状リブ
１１  指板
１２  ボディカバー
１３  フレット
１４  溝加工
１５  ヘッドカバー
１６  電装品
１７  スピーカーカバー
１８  バッテリーカバー
１９  乾電池
２０  アルミチャンネル材（ロの字型）
２１  スペース
２２  ブリッジ
２３  プレート
２４    駒ネジ
２５    バー
２６  弦孔
２７  仕切り板
２８  弦止め具
２９  調律ツマミ
３０  調律部
３１  ワッシャー
３２  ツマミ孔
３３  ネジ山
３４  ボールエンド孔
３５  スリット
３６  イモネジ山
３７  イモネジ
３８  ボールエンド溝
３９  排出孔
４０  スペーサー
４１  六角ナット
４２  ネジ板
４３  糸巻き
４４  ピックアップ
４５  サウンドホール
４６  弦
４７  ボールエンド
【図１】
2004347898.tif 000003
【図２】
2004347898.tif 000004
【図３】
2004347898.tif 000005
【図４】
2004347898.tif 000006
【図５】
2004347898.tif 000007
【図６】
2004347898.tif 000008
【図７】
2004347898.tif 000009
【図８】
2004347898.tif 000010
【図９】
2004347898.tif 000011
【図１０】
2004347898.tif 000012
【図１１】
2004347898.tif 000013